(57)【要約】【課題】暖房効率を向上させた便器装置を提供すること。【解決手段】便器本体１０１を有する便器装置１００であって、便器装置１００が設置される部屋を暖める空調ユニット２００を備え、便器本体１０１の周壁部（外周壁部１１０）には、空調ユニット２００からの温風を便器本体１０１の外部に吹き出す吹出し口（開口１１１）が形成されている便器装置。便器装置１００の一つの態様は、空調ユニット２００は、便器本体１０１の内側に固定部材（第１固定部材２０６、第２固定部材２０７、第３固定部材２０８）で固定されている。この固定部材の一つの態様は、空調ユニット２００から延びて前記便器本体１０１の内側から所定位置に固定される内側挟み込み部材（第１固定部材２０６、第２固定部材２０７）と、内側挟み込み部材を周壁部の吹出し口の周辺部を挟んで便器本体１０１に固定する外側挟み込み部材（第３固定部材２０８）と、を含む。【選択図】図６
2017214744.tif 000002
【特許請求の範囲】
【請求項１】
便器本体を有する便器装置であって、
前記便器装置の設置空間用の空調ユニットを備え、
前記便器本体の周壁部には前記空調ユニットからの空調風を前記便器本体の外部に吹き出す吹出し口が形成されている便器装置。
【請求項２】
前記空調ユニットは、前記便器本体の内側に固定部材で固定されている請求項１に記載の便器装置。
【請求項３】
前記固定部材は、前記空調ユニットから延びて前記便器本体の内側から所定位置に固定される内側挟み込み部材と、前記内側挟み込み部材を前記周壁部の前記吹出し口の周辺部を挟んで前記便器本体に固定する外側挟み込み部材と、を含む請求項２に記載の便器装置。
【請求項４】
前記空調ユニットの空気取入れ口を覆うフィルタを、前記周壁部の外部から挿脱可能に保持するフィルタ保持部を有する請求項１から３の何れか一項に記載の便器装置。
【発明の詳細な説明】
【技術分野】
【０００１】
本発明は、便器装置に関する。
【背景技術】
【０００２】
近年、部屋暖房ユニットを搭載した便器装置が普及の兆しを見せている。このような便器装置では、部屋暖房ユニット及び温風吹出し口が便器本体上部の機能部に設けられることが多い（例えば、特許文献１参照）。
【先行技術文献】
【特許文献】
【０００３】
【特許文献１】特開２００９−６２７３７号公報
【発明の概要】
【発明が解決しようとする課題】
【０００４】
特許文献１に開示された便器装置では、便器本体上部の便座に着座する使用者からみて左側面に脱臭用排気口と部屋暖房用の温風の吹出し口とが隣接して設けられる。部屋暖房用の温風を発生する室内暖房用ユニットは便座後方の機能部に内蔵される。このような便器装置では、吹出し口が便座よりも上方に位置し、このように相対的に高い位置から部屋暖房用の温風を吹き出させるため、足元など室内の低位置が温まるには時間を要し、暖房効率が悪い。上述の現象は、空調ユニットを備えた便器装置における暖房機能での運転時についても同様である。
【０００５】
本発明はこのような状況に鑑みてなされたものであり、暖房効率を向上させた便器装置を提供することを目的とする。
【課題を解決するための手段】
【０００６】
上記目的を達成するため、ここに次のような技術を提案する。
【０００７】
（１）便器本体を有する便器装置であって、
前記便器装置の設置空間用の空調ユニットを備え、
前記便器本体は、周壁部に前記空調ユニットからの空調風を前記便器本体の外部に吹き出す吹出し口を有する便器装置。
【０００８】
（２）前記空調ユニットは、前記便器本体の内側に固定部材で固定されている（１）の便器装置。
【０００９】
（３）前記固定部材は、前記空調ユニットから延びて前記便器本体の内側から所定位置に固定される内側挟み込み部材と、前記内側挟み込み部材を前記周壁部の前記吹出し口の周辺部を挟んで前記便器本体に固定する外側挟み込み部材と、を含む（２）の便器装置。
【００１０】
（４）前記空調ユニットの空気取入れ口を覆うフィルターを、前記周壁部の外部から挿脱可能に保持するフィルタ保持部を有する（１）から（３）の何れか一の便器装置。
【発明の効果】
【００１１】
本発明によれば、暖房効率を向上させた便器装置を提供することができる。
【図面の簡単な説明】
【００１２】
【図１】本発明の便器装置の外観を示す斜視図である。
【図２】図１の便器装置の便器本体を示す斜視図である。
【図３】図２の便器本体に空調ユニット（部屋暖房ユニット）を取付けた様子を示す斜視図である。
【図４】図２の便器本体に空調ユニット（部屋暖房ユニット）を取付けた様子を示す平面図である。
【図５】図４の要部を拡大して示す図である。
【図６】空調ユニット（部屋暖房ユニット）の取付け態様を示す分解図である。
【図７】空調ユニット（部屋暖房ユニット）の他の取付け態様を示す図である。
【図８】空調ユニット（部屋暖房ユニット）の更に他の取付け態様を示す図である。
【発明を実施するための形態】
【００１３】
以下、図面を参照して本発明の実施形態について詳細に説明することにより本発明を明らかにする。
図１は、本発明の便器装置の外観を示す斜視図である。
図１の便器装置１００は、外周壁部１１０で全周が囲まれて構成された便器本体１０１
の内側に便鉢１０５（図４参照）を有している。便器本体１０１の上部には便蓋１０２が設けられ、その後方に連なって後部上面カバー１０３が設けられている。後部上面カバー１０３で上方が覆われた便器本体１０１の後部上方のスペースには、給水、貯水、洗浄等に係る各種機能に関係する機能部１０４が設けられている。機能部１０４の下方であって外周壁部１１０の左側壁部１１０ａ（本例では使用者が便器本体１０１に着座した姿勢で左側の面）の後方寄りに、後述する空調ユニットとしての部屋暖房ユニット２００の温風の吹出し口２０５（２０８ｃ）を覆う吹出し口カバー２１０が設けられている。吹出し口カバー２１０には、温風を吹き出す部分にルーバー２１０ａが設けられ、その向かって左側に後述するフィルター２２０のフィルター把手２２３が位置する。
外周壁部１１０の内部には底部及び便鉢と外周壁部１１０の内側との間の空間に給水機能部、洗浄タンク、及び、洗浄水吐出のための機能部等々が収納されている。
【００１４】
図２は、図１の便器装置の便器本体を示す斜視図である。
便器本体１０１は全体として一体の陶器製の容器状体であり、図１の便器装置１００における、便蓋１０２、後部上面カバー１０３、及び、機能部１０４などをが取付けられる以前の状態である。便器本体１０１の内部に便鉢１０５が形成されている。
図２において、図１との対応部は同一の符号を附して示し、個々の部位については適宜説明を省略する。
本実施形態においては特に、便器本体１０１の外周壁部１１０（左側壁部１１０ａ）の後方寄り、即ち、後壁部１１０ｂ寄りの部位（外周壁部１１０における曲面状の他の部位に比して平らな略平面状の部位）に開口１１１が設けられている。この開口１１１は、部屋暖房ユニット２００からの温風を便器本体１０１の外部に吹き出す吹出し口であり、その高さ方向の位置は、外周壁部１１０（左側壁部１１０ａ）の上端よりも低い位置であり、図示の例では、外周壁部１１０の下端と上端との中間位置よりも若干高い位置である。
【００１５】
図３は、図２の便器本体に部屋暖房ユニットを取付けた様子を示す斜視図である。
図３の便器本体１０１の内部に、後述する空調ユニットとしての部屋暖房ユニット２００が、外周壁部１１０に設けられた開口１１１から温風が外部に吹き出すように配置される。具体的には、外側挟み込み部材である第３固定部材２０８と、図３では左側壁部１１０ａの内側にあって見えない対応する内側挟み込み部材（後述する、第１固定部材２０６及び第２固定部材２０７）とによって開口１１１の周囲の部分を挟み込むようにして部屋暖房ユニット２００が外周壁部１１０の内側から固定される。
図示のように、第３固定部材２０８は、それを正面から見込む視座では概略円形であり、略中央に矩形の温風の吹出し口２０８ｃが設けられている。吹出し口２０８ｃの左側縁部に沿って、後述するフィルター２２０を挿入するためのフィルタースロット２０９が開口している。
【００１６】
図４は、図２の便器本体に空調ユニットとしての部屋暖房ユニットを取付けた様子を示す平面図である。
図４以下での部屋暖房ユニット２００に関する説明においては、部屋暖房ユニット２００の温風の吹出し口をその正面から見る視座で左右の向きを表現し、同じ視座で、手前側を前としその反対側を後として、前後の向きを表現する。
図４において、既述の図２及び図３との対応部は同一の符号を附して示し、個々の部位については適宜説明を省略する。
図４では、部屋暖房ユニット２００が外周壁部１１０（左側壁部１１０ａ）に内側から取付けられた状態で平面図示される。
図５は、図４の要部である空調ユニットとしての部屋暖房ユニット２００とその周辺部を拡大して示す図である。
図４及び図５において、部屋暖房ユニット２００は、外殻の一部をなす左側ケース半体である第１カバー部材２０１と、外殻の他部をなす右側ケース半体である第２カバー部材２０２とが内部のブロワ―ファンユニット（図４及び図５では見えない）を挟んで覆うように左右から対向してねじによって結合される。
第１カバー部材２０１の左側面には図２を参照して既述のフィルタースロット２０９から挿入されるフィルター２２０（図６参照）を案内するフィルターガイド部材２０１ａが略平行に設けられている。
【００１７】
第１カバー部材２０１及びフィルターガイド部材２０１ａの左側面の前後方向の中間位置から前端寄りに、部屋暖房ユニット２００を固定する一の固定部材である第１固定部材２０６が設けられる。これに対応して、第２カバー部材２０２の右側面の前後方向の中間位置から前端寄りに、部屋暖房ユニット２００を固定する他の固定部材である第２固定部材２０７が設けられる。
第１固定部材２０６及び第２固定部材２０７は、第１カバー部材２０１の左側面の前端寄りの部位、及び、第２カバー部材２０２の右側面の前端寄りの部位を左右から挟持して部屋暖房ユニット２００から前方に延びている。詳細には、第１固定部材２０６及び第２固定部材２０７は、両者の間に、第１カバー部材２０１の左側面の前端寄りの部位、及び、第２カバー部材２０２の右側面の前端寄りの部位を挟んだ状態で、各対応部が複数のねじによって結合されることにより暖房ユニット２００に組み付けられた状態で前方に延びている。
この結合は、代表的には、図５に示されるように、第１固定部材２０６の前寄りの上部位置に突設されたねじ挿通片２０６ｂのねじ挿通孔を通して、ねじ３０１が、第２固定部材２０７の対応位置に突設されたねじ受け部２０７ｂのねじ孔にねじ込まれて、第１固定部材２０６と第２固定部材２０７とが適切な強度で結合される態様をとる。
【００１８】
第１固定部材２０６には、その前端から外周壁部１１０（左側壁部１１０ａ）の厚み寸法より小さい寸法だけ後退した領域に亘って、左側壁部１１０ａの既述の開口１１１の内周に嵌り合う開口嵌入部２０６ｃが形成されている。また、第１固定部材２０６の開口嵌入部２０６ｃの後端位置に臨んで、外周壁部１１０（左側壁部１１０ａ）の開口１１１の周囲の内面側に当接する壁面当接部２０６ｄが形成されている。図示のとおり、壁面当接部２０６ｄは開口嵌入部２０６ｃから段差を成して外方に突出している。
第２固定部材２０７についても、上述の第１固定部材２０６と同様に、その前端から外周壁部１１０（左側壁部１１０ａ）の厚み寸法より小さい寸法だけ後退した領域に亘って、外周壁部１１０（左側壁部１１０ａ）の既述の開口１１１の内周に嵌り合う開口嵌入部２０７ｃが形成されている。また、第２固定部材２０７の開口嵌入部２０７ｃの後端位置に臨んで、外周壁部１１０（左側壁部１１０ａ）の開口１１１の周囲の内面側に当接する壁面当接部２０７ｄが形成されている。図示のとおり、壁面当接部２０７ｄは開口嵌入部２０７ｃから段差を成して外方に突出している。
尚、第２固定部材２０７の壁面当接部２０７ｄは、外周壁部１１０の内面が左側壁部１１０ａから後壁部１１０ｂに連なる部分で内側に突出した曲面を成していることに合わせて、右外方が後方に後退するように曲面を成している。
【００１９】
図５より容易に理解されるとおり、第１固定部材２０６の開口嵌入部２０６ｃと第２固定部材２０７の開口嵌入部２０７ｃとは、両者が左右から合わされた状態で外周壁部１１０（左側壁部１１０ａ）の開口１１１に嵌入される。このように開口１１１に嵌入された第１固定部材２０６の開口嵌入部２０６ｃと第２固定部材２０７の開口嵌入部２０７ｃとの前端面に対応して図３を参照してその一局面を説明した第３固定部材２０８の背面側が対向当接する。一方、第３固定部材２０８の前面側に吹出し口カバー２１０が被せられる。
後に図６を参照して説明するように、第３固定部材２０８の前面側外周部は外周壁部１１０（左側壁部１１０ａ）の開口１１１よりも大径のフランジ部２０８ｄが形成され、このフランジ部２０８ｄの背面側が開口１１１の周囲の外面に当接する。また第３固定部材２０８のフランジ部２０８ｄよりも後側は、開口１１１の内周に嵌り合う開口嵌入部２０８ｅとして成形されている。この開口嵌入部２０８ｅの背面側が、上述のように開口１１１に嵌入された第１固定部材２０６の開口嵌入部２０６ｃと第２固定部材２０７の開口嵌入部２０７ｃとの前端面に対向当接するように、ねじなどによって組み付けられる。
【００２０】
従って、第１固定部材２０６、第２固定部材２０７、及び、第３固定部材２０８が組み付けられた状態では、それらによって外周壁部１１０（左側壁部１１０ａ）の開口１１１周辺が強固に挟まれる。これにより第１固定部材２０６及び第２固定部材２０７は外周壁部１１０（左側壁部１１０ａ）に位置が固定され、従って、第１固定部材２０６及び第２固定部材２０７によって挟持された部屋暖房ユニット２００が外周壁部１１０の内側に位置が固定されて配置される。
換言すれば、第１固定部材２０６及び第２固定部材２０７は、部屋暖房ユニット２００から延びて便器本体１０１の内側から所定位置に固定される内側挟み込み部材を構成している。
また、第３固定部材２０８は、上述の固定部材を、周壁部（外周壁部１１０の左側壁部１１０ａ）の吹出し口の周辺部（開口１１１の開口１１１周辺）を挟んで便器本体１０１に固定する外側挟み込み部材を構成している。
【００２１】
図６は、部屋暖房ユニットの取付け態様を示す分解図である。
部屋暖房ユニット２００は、ブロワファンユニット２０４が左右から既述の第１カバー部材２０１と第２カバー部材２０２とによって覆われて構成される。ブロワファンユニット２０４と第１カバー部材２０１とは、フィルター２２０が未装着である状態で、第１カバー部材２０１の空気取入れ口である開口２０３内にブロワファンユニット２０４のブロワファン２０４ａと空気取入れ口２０４ｂとが露呈する位置関係に配される。
第１カバー部材２０１と第２カバー部材２０２とが合わされた組立体の前方位置の開口がブロワファンユニット２０４側の吹出し口２０４ｃに対応するカバー部材側の吹出し口２０５を構成している。なお、吹出し口２０４ｃ近傍の温風流通路は必ずしもブロワファンユニット２０４と一体ではなく、ブロワファンユニット２０４自体の吹出し口に上述の温風流通路が接合される態様が採られる。
また、ブロワファンユニット２０４側の吹出し口２０４ｃ近傍の温風流通路の内部に、ヒータやサーミスタが通常の如く配される。
【００２２】
第１カバー部材２０１と第２カバー部材２０２とが合わされた組立体の前方側の部位が左右から第１固定部材２０６及び第２固定部材２０７によって押圧されて挟持される。
既述のように、第１固定部材２０６と第２固定部材２０７とは各対応部が複数のねじによって結合される。この結合は、代表的には、第１固定部材２０６側に設けられたねじ挿通片２０６ｂのねじ挿通孔を通して、ねじ３０１（図５参照）が、第２固定部材２０７側に設けられたねじ受け部２０７ｂのねじ孔にねじ込まれて、第１固定部材２０６と第２固定部材２０７とが適切な強度で結合される態様を採る。
【００２３】
第１固定部材２０６と第２固定部材２０７とは、既述の開口嵌入部２０６ｃ及び開口嵌入部２０７ｃの部位でこれら両部位が左右から合体した組立体の形で外周壁部１１０（左側壁部１１０ａ）の開口１１１に嵌入される。この嵌入により、既述の、第１固定部材２０６の壁面当接部２０６ｄ及び第２固定部材２０７の壁面当接部２０７ｄが、対応する外周壁部１１０（左側壁部１１０ａ）の開口１１１周辺の内側に当接する。
この状態で、既述の第３固定部材２０８の開口嵌入部２０８ｅが、開口１１１に嵌入され、第１固定部材２０６（その開口嵌入部２０６ｃ）の前端側及び第２固定部材２０７の（その開口嵌入部２０７ｃ）前端側と対向当接する。このとき、第３固定部材２０８のフランジ部２０８ｄが周壁部１１０（左側壁部１１０ａ）の開口１１１周辺の内側に当接する。なお、第３固定部材２０８には既述の吹出し口２０５（２０４ｃ）に対応する吹出し口として開口２０８ｃが設けられている。第３固定部材２０８が第１固定部材２０６（その開口嵌入部２０６ｃ）の前端側及び第２固定部材２０７の（その開口嵌入部２０７ｃ）前端側と対向当接した状態で、この開口２０８ｃが温風の吹出し口となる。
【００２４】
上述のように、第１固定部材２０６の開口嵌入部２０６ｃ及び第２固定部材２０７の開口嵌入部２０７ｃが合体した組立体の前端が開口１１１の連通路内で第３固定部材２０８の開口嵌入部２０８ｅと当接した状態で、この組立体の前端と第３固定部材２０８の開口嵌入部２０８ｅとがねじ止めされる。
このねじ止めは、詳細には、次のようになされる。
第１固定部材２０６（その開口嵌入部２０６ｃ）の前端側にはねじ孔２０６ａが設けられ、第２固定部材２０７の（その開口嵌入部２０７ｃ）前端側にはねじ孔２０７ａが設けられている。
第３固定部材２０８には、ねじ孔２０６ａに対応するねじ挿通孔２０８ａ、及び、ねじ孔２０７ａに対応するねじ挿通孔２０８ｂが設けられている。
ねじ挿通孔２０８ａを通してねじ（不図示）がねじ孔２０６ａにねじ込まれ、ねじ挿通孔２０８ｂを通してねじ（不図示）がねじ孔２０７ａにねじ込まれることにより、第１固定部材２０６の開口嵌入部２０６ｃ及び第２固定部材２０７の開口嵌入部２０７ｃが合体した組立体と第３固定部材２０８とが適切な力量で締め付けられる。
これにより、第１固定部材２０６の壁面当接部２０６ｄ、及び、第２固定部材２０７の壁面当接部２０７ｄが外周壁部１１０（左側壁部１１０ａ）の開口１１１周辺の内側に当接し、一方、第３固定部材２０８のフランジ部２０８ｄが開口１１１周辺の外側に当接する。
【００２５】
即ち、第１固定部材２０６及び第２固定部材２０７の該当部と、第３固定部材２０８の該当部とによって外周壁部１１０（左側壁部１１０ａ）の開口１１１周辺が挟み込まれ、第１固定部材２０６及び第２固定部材２０７は適切な力量で外周壁部１１０の内側で便器本体１０１内での空間位置が固定される。従って、第１固定部材２０６及び第２固定部材２０７によって挟持された部屋暖房ユニット２００は、便器本体１０１内部での空間位置が固定される。
一方、第３固定部材２０８には、外周壁部１１０（左側壁部１１０ａ）に固定された状態で、外側から吹出し口カバー２１０が外側から被せられ、ねじ止めなど適宜の手段で固定される。
【００２６】
吹出し口カバー２１０には、温風を吹き出す部分である第３固定部材２０８の開口２０８ｃに対応する部位を含む箇所にルーバー２１０ａが設けられ、その向かって左側に縦長のフィルタースロット２１１が開口している。
吹出し口カバー２１０のフィルタースロット２１１に対応して、第３固定部材２０８にもその開口２０８ｃの左側に縦長のフィルタースロット２０９が設けられている。
更に、第３固定部材２０８のフィルタースロット２０９の奥行方向に連なって、第１カバー部材２０１左側壁とフィルターガイド部材２０１ａによって囲まれるようにしてフィルター２２０を定位置に保持する保持空間が形成されている。
【００２７】
フィルター２２０はフィルタースロット２１１から挿入する方向に延びた全体として板状のフィルターエレメント保持板２２２の先端寄りの部分にフィルターエレメント２２１が配されて構成されている。またフィルターエレメント保持板２２２のフィルターエレメント２２１とは反対側の基部には、フィルターエレメント保持板２２２の主面に直角に折り曲げられたフィルター把手２２３が形成されている。
フィルター２２０をフィルタースロット２１１から挿入すると、突き当たった位置で、フィルターエレメント２２１がフィルターガイド部材２０１ａによって周縁部分で保持される。このように保持された状態で、フィルターエレメント２２１はブロワファンユニット２０４の空気取入れ口２０４ｂを覆う。
換言すれば、フィルタースロット２１１、フィルタースロット２０９、第１カバー部材２０１（その左側面）、及び、フィルターガイド部材２０１ａは、部屋暖房ユニット２００の空気取入れ口２０４ｂを覆うフィルター２２０（フィルターエレメント２２１）を、周壁部（外周壁部１１０の左側壁部１１０ａ）の外部から挿脱可能に保持するフィルタ保持部を構成している。
【００２８】
以上説明した本実施形態の便器装置１００によれば、次のような効果を奏する。
本実施形態の便器装置１００は、便器本体１０１を有する便器装置１００であって、便器本体１０１は、周壁部（外周壁部１１０の左側壁部１１０ａ）に部屋暖房ユニット２００からの温風を便器本体１０１の外部に吹き出す吹出し口（開口１１１）を有する。
このため、便器本体１０１の上部に位置する機能部に室内暖房用温風の吹出し口を設けた従来の装置に比し、吹出し口が各段に低位置にあるため暖房効率に優れる。特に、便器装置の使用者の足元に近い位置から速やかに温まるため、目的に適合した暖房効果が得られる。
【００２９】
また、一般的には、便器装置の各機能部の制御部である電子回路部は便器本体１０１の上部に位置する機能部に収納されており、この近傍位置に吹出し口を設けると、吹出し口から水が浸入した場合には、容易に電子回路部に水が達してしまうおそれがある。
これに対し、本実施形態の便器装置１００では、電子回路部とは離隔した便器本体１０１の周壁部（外周壁部１１０の左側壁部１１０ａ）に室内暖房用温風の吹出し口（開口１１１）が設けられているため、仮に吹出し口から水が浸入するようなことがあっても、それが電子回路部に達してしまうおそれは極めて稀である。
また、吹出し口が低い位置にあるため、外部から（例えば水を掛けられて本体を洗われる際）の水が侵入しにくい。
【００３０】
また、従来の便器装置では、便器本体の上部に位置する機能部をリフトアップして便器本体の上部を清掃可能に構成されることが多い。このような構成が採られる場合には、機能部をリフトアップしたときに、内部の部屋暖房ユニットのブロワファンが露呈して清掃者の指が触れてしまう危険を防止するために、別途の指入り防止部材が設けられることが必要である。
これに対し、本実施形態の便器装置１００では、機能部をリフトアップしても、室内暖房用温風の吹出し口（開口１１１）が機能部とは別体の便器本体１０１側に設けられているため、吹出し口（開口１１１）は機能部のリフトアップとは連動することがない。従って、別途の指入り防止部材は本質的に必要とされず、構成が簡素化される。また、部屋暖房ユニット２００の吹出し口２０４ｃ（２０５）から吹出し口カバー２１０が設けられた第３固定部材２０８の開口２０８ｃまでを可動部分を介さずに連通させた構造を採り得るため、部屋暖房ユニット２００の性能（吹出し口の温度や吹出し方向）のばらつきを抑えることができる。
【００３１】
また、本実施形態の便器装置１００は、部屋暖房ユニット２００は、便器本体１０１の内側に固定部材（第１固定部材２０６、第２固定部材２０７、第３固定部材２０８）で固定されている。
このため、部屋暖房ユニット２００自体は、種々の仕様の便器装置に対して共通仕様のものを適用可能であり、コストが低減され得る。
【００３２】
更に、固定部材は部屋暖房ユニット２００にその該当部位を複数の分割可能な部分（第１固定部材２０６、第２固定部材２０７）で囲むように組み付けられる内側挟み込み部材（第１固定部材２０６、第２固定部材２０７）と、内側挟み込み部材（第１固定部材２０６、第２固定部材２０７）を周壁部（外周壁部１１０の左側壁部１１０ａ）の吹出し口（開口１１１）の周辺部を挟んで便器本体１０１に固定する外側挟み込み部材（第３固定部材２０８）とを含む。
このため、部屋暖房ユニット２００自体は、種々の仕様の便器装置に対して共通仕様のものを適用可能であり、且つ、便器本体１０１の周壁部（外周壁部１１０の左側壁部１１０ａ）に吹出し口（開口１１１）を設けさえすれば、便器本体１０１に対して特別な部屋暖房ユニット保持機構部などを形成することなく、部屋暖房ユニット２００を適切に保持することが可能である。従って、多様な仕様の便器装置に対し、多くの部分を共通化した設計が可能になり、コストが低減される。
【００３３】
また、本実施形態の便器装置１００は、部屋暖房ユニット２００の空気取入れ口（ブロワファンユニット２０４の空気取入れ口２０４ｂ）を覆うフィルター（フィルター２２０）を、周壁部（外周壁部１１０の左側壁部１１０ａ）の外部から挿脱可能に保持するフィルタ保持部（フィルタースロット２１１、フィルタースロット２０９、第１カバー部材２０１（その左側面）、及び、フィルターガイド部材２０１ａ）を有する。
このため、第１カバー部材２０１の開口２０３から取り入れられる空気は、フィルター２２０のフィルターエレメント２２１を通してブロワファンユニット２０４の空気取入れ口２０４ｂに供給される。このため、ブロワファンユニット２０４内に塵埃などが流入する不都合が予防される。
また、フィルター２２０はフィルタースロット２１１を通して挿脱自在であるため、フィルターエレメント２２１の清掃が極めて容易である。
【００３４】
以上、本発明の便器装置１００の好ましい実施形態について説明したが、本発明は、上述した実施形態に制限されるものではなく、適宜変更が可能である。
例えば、吹出し口（開口１１１）は、外周壁部１１０の前方下部（利用者が座ったときに足元近傍となる位置）に設けてもよい。
また、既述の実施形態では、部屋暖房ユニット２００を周壁部（外周壁部１１０の左側壁部１１０ａ）に設けられた吹出し口（開口１１１）と略同じ高さ位置で便器本体１０１内に配置したが、これに限らず部屋暖房ユニット２００をベースプレート（不図示）に吊るようにして、既述の実施形態よりも高い位置に配置してもよい。この場合は、適宜のダクト部材によって、部屋暖房ユニット２００の吹出し口２０４ｃ（２０５）からの温風を、下方の吹出し口（開口１１１）に導いて外部に吹き出させるように構成すればよい。この場合も、温風の吹出し口２０４ｃ（２０５）自体は既述の実施形態と同様の配置である。このため、吹出し口が従来の装置よりも各段に低位置にあるため暖房効率に優れ、便器装置の使用者の足元に近い位置から速やかに温まるため、目的に適合した暖房効果が得られる。
また、既述の実施形態では、部屋暖房ユニット２００から延びて所定位置に固定される内側挟み込み部材は、第１固定部材２０６及び第２固定部材２０７に分割して構成され、それらが部屋暖房ユニット２００の前側を両側方から挟持するように構成したが、これに限らず部屋暖房ユニット２００から一体的に前方に延び出す筒状体として構成してもよい。
この場合は、全体として構成が一層簡素化される。
【００３５】
また、上述においては、部屋暖房ユニット２００は空調ユニットの一つの形態である趣旨にて説明したように、空調ユニットとして温風を吹き出すのみならず冷風を吹き出す機能をも備えたものとしてもよい。更には、温風や冷風のみならずイオン吹き出す機能を搭載したものであってもよい。
尚、便器本体１０１の開口１１１を、スピーカーのような発音体の音を外部に発するための開口として利用するように構成してもよい。
【００３６】
一方、図４〜図６を参照して説明した実施形態では、第１及び第２固定部材２０６，２０７と第３固定部材２０８とによって開口１１１の周りの外周壁部（左側壁部１１０ａ）を挟み込む態様で部屋暖房ユニット２００を便器本体１０１に取付けたが、取付けの態様としてはこれ以外にも種々考えられる。
例えば、図７に示すように、第１固定部材１２０６をその壁面当接部１２０６ｄが左側壁部１１０ａの外面側に当接するものとし、これと対をなす第２固定部材１２０７をその壁面当接部１２０７ｄが左側壁部１１０ａの外面側に当接するものとして構成することもできる。この場合は、第１固定部材１２０６及び第２固定部材１２０７を左右から合わせた状態で開口１１１にその外側から挿通させると、これに伴いそれぞれ半フランジ状の壁面当接部１２０６ｄ及び１２０７ｄが左右から合わせられてフランジ状になる。このフランジ状の部分に、当該フランジと略同径の第３固定部材１２０８を重ね合わせてビス１２１及び１２２により左側壁部１１０ａに固定する。この状態では、第１固定部材１２０６及び第２固定部材１２０７を左右から合わせた組立体に空調ユニットが保持されるようにする。
【００３７】
或いはまた、図８に示すように、第１固定部材２２０６をそれ自体では既述のようなフランジ状の壁面当接部を持たない形状のものとし、これと対をなす第２固定部材２２０７もそれ自体ではフランジ状の壁面当接部を持たない形状のものとして構成することもできる。この場合は、第１固定部材２２０６及び第２固定部材２２０７を左右から合わせて組立体とした状態で、その組立体の外側先端面に、例えば、既述の図７における第３固定部材１２０８と略同径の第３固定部材２２０８を接合する。或いは、第１固定部材２２０６及び第２固定部材２２０７を左右から合わせたものの外側先端面には予め第３固定部材２２０８が接合された形態の組立体を準備する。このような第３固定部材２２０８を開口１１１周辺の左側壁部１１０ａにビス１２１及び１２２により固定する。第１固定部材２２０６及び第２固定部材２２０７を左右から合わせた組立体に空調ユニットが保持されるようにする点は既述の態様のものと同様である。
【符号の説明】
【００３８】
１００  便器装置
１０１  便器本体
１１０  外周壁部
１１０ａ  左側壁部
１１１  開口（吹出し口）
２００  部屋暖房ユニット
２０１  第１カバー部材
２０１ａ  フィルターカバー部材
２０２  第２カバー部材
２０４  ブロワファンユニット
２０４ｃ、２０５  吹出し口
２０６  第１固定部材（内側挟み込み部材）
２０７  第２固定部材（内側挟み込み部材）
２０８  第３固定部材（外側挟み込み部材）
２０８ｃ  開口（吹出し口）
２０９，２１１  フィルタースロット
２２０  フィルター
２２１  フィルターエレメント
【図１】
2017214744.tif 000003
【図２】
2017214744.tif 000004
【図３】
2017214744.tif 000005
【図４】
2017214744.tif 000006
【図５】
2017214744.tif 000007
【図６】
2017214744.tif 000008
【図７】
2017214744.tif 000009
【図８】
2017214744.tif 000010